(57)【特許請求の範囲】
【請求項１】
走行装置（２）の上方に脱穀装置（３）を設け、該脱穀装置（３）の横側にグレンタンク（４）を設け、該グレンタンク（４）の前側に操縦部（５）を設け、該操縦部（５）の前方に刈取装置（６）を設け、該刈取装置（６）には、少なくとも、複数の分草体（１０）および引起装置（１１）の後側に刈刃（１５）を設け、該刈刃（１５）の後側に前記複数の分草体（１０）間に形成される複数の搬送通路（Ｈ）を通る穀稈を夫々搬送する左右の前側株元搬送装置（１４）を刈取フレーム（２０）に取り付けて構成し、該刈取フレーム（２０）は、基部を機体側に回動自在に取付けた縦支持フレーム（２２）の先端に左右方向の下部横伝動ケース（２１）を取付け、該下部横伝動ケース（２１）の左右一方側に側部伝動ケース（２７）を設け、下部横伝動ケース（２１）の左右他方側に側部フレーム（２８）を設け、前記側部伝動ケース（２７）と側部フレーム（２８）の上端部間に上部横伝動ケース（２９）を設け、該上部横伝動ケース（２９）には前記複数の引起装置（１１）に回転伝達する引起伝動筒（３０）の上部を夫々取付け、該引起伝動筒（３０）には前記引起装置（１１）の引起フレーム（３２）の上部を取付け、該引起フレーム（３２）の下部は前記分草体（１０）を先端に設けた分草杆（３５）に前部に固定し、前記側部フレーム（２８）の上下方向中間部と前記分草杆（３５）の前後方向中間部または前端部との間に、前後方向の側部補強横フレーム（４０）を設け、前記側部補強横フレーム（４０）の前端は前記分草杆（３５）の前端側に設けたステー（４１）に固定し、該ステー（４１）に前記引起装置（１１）の引起フレーム（３２）の下部を取付けたことを特徴とするコンバイン。
【請求項２】
請求項１において、前記刈取装置（６）は、引起装置（１１）の後方にラグ式掻込装置（１２）と該ラグ式掻込装置（１２）の基部側下方位置に設けたスターホイル（１３）を設け、前記側部補強横フレーム（４０）の前後方向中間部に前記ラグ式掻込装置（１２）とスターホイル（１３）を支持したことを特徴とするコンバイン。
【請求項３】
請求項１または請求項２において、前記側部補強横フレーム（４０）の基部は取付部材（５７）を介して前記側部フレーム（２８）に取付け、前記取付部材（５７）には左右方向の支持フレーム（５８）の基部を固定し、該支持フレーム（５８）に前記前側株元搬送装置（１４）の駆動歯車（５２）および前記複数の前側株元搬送装置（１４）により搬送した穀稈を搬送する後側搬送装置（１６）の駆動歯車（５３）を備えた回転軸（５４）を軸装したことを特徴とするコンバイン。
【発明の詳細な説明】
【技術分野】
【０００１】
本発明は、コンバインに係るものである。
【背景技術】
【０００２】
従来、複数の分草体および引起装置の後側に刈刃を設け、刈刃の後側に左右の前記分草体からの複数の搬送通路を通る穀稈を夫々搬送する株元搬送装置を設けて構成した刈取装置の構成は、公知である（例えば、特許文献１参照）。
。
【先行技術文献】
【特許文献】
【０００３】
【特許文献１】特開２００９−１３６１９０号公報
【発明の概要】
【発明が解決しようとする課題】
【０００４】
前記公知のものは、左右方向に分草体および引起装置を６条並設した多条刈りの刈取装置であり、刈取装置の左右幅は大きくなっているが、その刈取フレームの構成は不明であり、刈取フレームの剛性が確保できないという課題がある。
本願は、刈取装置の刈取フレームの構成を工夫し、刈取装置全体の剛性を向上させたものである。
【課題を解決するための手段】
【０００５】
本発明は、走行装置２の上方に脱穀装置３を設け、該脱穀装置３の横側にグレンタンク４を設け、該グレンタンク４の前側に操縦部５を設け、該操縦部５の前方に刈取装置６を設け、該刈取装置６には、少なくとも、複数の分草体１０および引起装置１１の後側に刈刃１５を設け、該刈刃１５の後側に前記複数の分草体１０間に形成される複数の搬送通路Ｈを通る穀稈を夫々搬送する左右の前側株元搬送装置１４を刈取フレーム２０に取り付けて構成し、該刈取フレーム２０は、基部を機体側に回動自在に取付けた縦支持フレーム２２の先端に左右方向の下部横伝動ケース２１を取付け、該下部横伝動ケース２１の左右一方側に側部伝動ケース２７を設け、下部横伝動ケース２１の左右他方側に側部フレーム２８を設け、前記側部伝動ケース２７と側部フレーム２８の上端部間に上部横伝動ケース２９を設け、該上部横伝動ケース２９には前記複数の引起装置１１に回転伝達する引起伝動筒３０の上部を夫々取付け、該引起伝動筒３０には前記引起装置１１の引起フレーム３２の上部を取付け、該引起フレーム３２の下部は前記分草体１０を先端に設けた分草杆３５に前部に固定し、前記側部フレーム２８の上下方向中間部と前記分草杆３５の前後方向中間部または前端部との間に、前後方向の側部補強横フレーム４０を設け、前記側部補強横フレーム４０の前端は前記分草杆３５の前端側に設けたステー４１に固定し、該ステー４１に前記引起装置１１の引起フレーム３２の下部を取付けたことを特徴とするコンバインとしたものであり、コンバインを前進させて、各分草体１０により分草し、分草体１０により分草された穀稈は引起装置１１により引起され、刈刃１５により切断され、切断された穀稈は各前側株元搬送装置１４により搬送される。
刈取装置６の下部横伝動ケース２１の側部に設けた側部フレーム２８の上下方向中間部と分草杆３５の前後方向中間部または前端部との間に前後方向の側部補強横フレーム４０を設けているので、側部補強横フレーム４０により刈取装置６の左右側部が補強される。
また、引起装置１１は、上部を引起伝動筒３０により支持され、その下部を分草杆３５と側部補強横フレーム４０により支持されながら、穀稈を引き起こす。
本発明は、前記刈取装置６は、引起装置１１の後方にラグ式掻込装置１２と該ラグ式掻込装置１２の基部側下方位置に設けたスターホイル１３を設け、前記側部補強横フレーム４０の前後方向中間部に前記ラグ式掻込装置１２とスターホイル１３を支持したことを特徴とするコンバインとしたものであり、刈取装置６のラグ式掻込装置１２とスターホイル１３は側部補強横フレーム４０により強固に支持されながら、引起装置１１が引き起こした穀稈を掻込搬送する。
本発明は、前記側部補強横フレーム４０の基部は取付部材５７を介して前記側部フレーム２８に取付け、前記取付部材５７には左右方向の支持フレーム５８の基部を固定し、該支持フレーム５８に前記前側株元搬送装置１４の駆動歯車５２および前記複数の前側株元搬送装置１４により搬送した穀稈を搬送する後側搬送装置１６の駆動歯車５３を備えた回転軸５４を軸装したことを特徴とするコンバインとしたものであり、前側株元搬送装置１４と後側搬送装置１６は支持フレーム５８を介して側部補強横フレーム４０により支持されながら、穀稈を搬送する。
【発明の効果】
【０００６】
請求項１の発明では、刈取装置６の左右側部に設けた側部フレーム２８の上下方向中間部と分草杆３５との間に前後方向の側部補強横フレーム４０を設けているので、側部補強横フレーム４０により刈取装置６の左右側部を補強することができ、刈取装置６全体の剛性を向上させ、刈取作業を安定して行うことができ、引起装置１１の支持を強固にできるので、倒伏穀稈等の引起抵抗の大きな条件でも引起性能を充分に発揮させることができ、刈取装置６の刈取作業を円滑行うことができる。
請求項２の発明では、前記請求項１の効果に加え、刈取装置６のラグ式掻込装置１２とスターホイル１３を強固に支持でき、刈取装置６の振動発生を抑制して、刈取装置６の刈取作業を円滑行うことができる。
請求項３の発明では、前記各請求項の効果に加え、前側株元搬送装置１４と後側搬送装置１６の支持を強固にでき、刈取装置６の振動発生を抑制して、刈取装置６の刈取作業を円滑に行うことができる。
【図面の簡単な説明】
【０００７】
【図１】コンバインの側面図。
【図２】刈取装置の一部省略平面図。
【図３】刈取装置のフレームの概略図。
【図４】刈取装置の側面図。
【図５】同平面図。
【図６】刈取装置の側面図。
【図７】刈取装置の概略図。
【図８】案内ガイドの概略斜視図。
【図９】刈取装置のスターホイル部分の側面図。
【図１０】刈取装置の一部省略平面図。
【図１１】刈取装置の一部省略平面図。
【図１２】移動チエンレールの移動状態平面図。
【発明を実施するための最良の形態】
【０００８】
本発明の実施例を図により説明すると、１は機体フレーム、２は走行装置、３は走行装置２の上方位置に設けた脱穀装置、４は脱穀装置３の側部に設けたグレンタンク、５はグレンタンク４の前側に設けた操縦部、６は前記脱穀装置３および前記操縦部５の前方位置に設けた刈取装置である。
刈取装置６は、分草体１０と、各分草体１０の後方の引起装置１１等を有して構成する。１２は引起装置１１の後方のラグ式掻込装置、１３はラグ式掻込装置１２の基部側下方位置に設けたスターホイル、１４は左右のスターホイル１３の上方に設けた前側株元搬送装置１４、１５は刈刃である。
左右に複数並設した分草体１０により分草されて引起装置１１により引起された穀稈は、並行状態のまま刈刃１５により根元が切断され、そのまま複数並設された各分草体１０から続く搬送通路Ｈを通って前側株元搬送装置１４により搬送され、この夫々の搬送通路Ｈを搬送された穀稈は各前側株元搬送装置１４の後方に設けた後側搬送装置１６により搬送され、右側の搬送通路Ｈを前側株元搬送装置１４により搬送された穀稈と合流点Ｇで合流し、前記脱穀装置３に供給する穀稈供給搬送装置１７に引継ぐ株元引継搬送装置１８と穂先引継搬送装置１９に受け渡すように構成している。
【０００９】
刈取装置６は、前記分草体１０や引起装置１１等を取付けた刈取フレーム２０を有して構成し、刈取フレーム２０の下部横伝動ケース２１に、前後方向の縦支持フレーム２２の先端を取付け、縦支持フレーム２２の基部に設けた基部側横伝動ケース２３を、機体フレーム１の支持台に回動自在に取付け、刈取上下シリンダ（図示省略）により刈取装置６を上下動自在に構成している。
前記刈取フレーム２０は、図３のように、下部横伝動ケース２１の左右側のうちの一方側に側部伝動ケース２７を設け、下部横伝動ケース２１の左右側のうちの他方側に側部フレーム２８を設け、側部伝動ケース２７と側部フレーム２８の間に上部横伝動ケース２９を設ける。上部横伝動ケース２９には縦軸筒形状の引起伝動筒３０の上部を取付け、引起伝動筒３０は引起装置１１の駆動歯車３１に回転伝達する。引起装置１１の駆動歯車３１は引起フレーム３２に取付ける（なお、図３は刈取フレーム２０の概略図であり、他の図と必ずしも一致していない）。２４は伝動軸、２５は伝動ギヤ、３３は引起ケースである。
【００１０】
引起フレーム３２は上部を前記引起伝動筒３０側に連結固定し、引起フレーム３２の下部は分草杆３５に固定する。分草杆３５は前後方向に形成し、分草杆３５の先端に前記分草体１０を取付け、分草杆３５の基部は前記刈刃１５を取付けた刈刃フレーム３６に取付け、刈刃フレーム３６は左右に並設した前後杆３７により前記下部横伝動ケース２１に固定する（図４）。
前記側部フレーム２８の上部は前記上部横伝動ケース２９側に取付け、側部フレーム２８の上下方向中間部に前方に突き出る側部補強横フレーム４０の基部を固定し、側部補強横フレーム４０の先端は前記分草杆３５側の前後方向中間部または前端部に固定し、側部補強横フレーム４０の前後方向中間部には前記スターホイル１３を設ける。
【００１１】
そのため、刈取フレーム２０の他方側（右側）は、分草杆３５と引起フレーム３２と側部フレーム２８の他に側部補強横フレーム４０により支持されるので、強固に支持する。
側部補強横フレーム４０の先端は分草杆３５の先端側に設けたステー４１に固定し、ステー４１には先端縦支持部材４２の基部を固定し、先端縦支持部材４２の先端に前記引起フレーム３２の下部を取付ける。また、先端縦支持部材４２にはラグ式掻込装置１２の掻込フレーム４３の先端を取付ける。掻込フレーム４３の先端側にはローラー４４を取付け、ローラー４４にはラグ式掻込装置１２のベルト４５を掛け回している。ベルト４５を駆動させるラグ駆動プーリ４６に掛け回し、ラグ駆動プーリ４６は回転軸５０の上部に取付け、回転軸５０の下部には前記スターホイル１３を取付け、回転軸５０の上下方向中間部分を前記側部補強横フレーム４０に軸装する。
【００１２】
また、回転軸５０には複数並設した前側株元搬送装置１４のうちの右前側株元搬送装置１４Ａの従動歯車５１を設ける。５２は前側株元搬送装置１４の駆動歯車であり、前記後側搬送装置１６の従動歯車５３と同軸上に設け、従動歯車５３は回転軸５４に取付ける。
そのため、側部補強横フレーム４０は、ラグ式掻込装置１２とスターホイル１３と前側株元搬送装置１４の取付支持フレームを兼用する。
また、前記側部補強横フレーム４０の基部は取付部材５７を介して側部フレーム２８に取付け、取付部材５７には左右方向の支持フレーム５８の基部を固定し、支持フレーム５８に前記従動歯車５３を軸装する。
なお、後側搬送装置１６の駆動歯車５３Ａの回転により回転する従動歯車５３の回転が左側の前側株元搬送装置１４Ａの駆動歯車５２に回転伝達される（図２）。
【００１３】
しかして、左右に複数並設した分草体１０により分草されて引起装置１１により引起された穀稈は、並行状態のまま刈刃１５により根元が切断され、そのまま複数並設された各分草体１０から続く搬送通路Ｈを通り、この夫々の搬送通路Ｈを搬送された穀稈は合流点Ｇで合流して（図２）、前記脱穀装置３に供給する穀稈供給搬送装置１７に引継ぐ株元引継搬送装置１８と穂先引継搬送装置１９に受け渡すように構成し、株元引継搬送装置１８および穂先引継搬送装置１９の搬送通路を搬送中の搬送穀稈を案内する案内ガイド６０を株元引継搬送装置１８および穂先引継搬送装置１９に対して遠近自在に設ける（図７，図８）。
即ち、案内ガイド６０の基部を前記複数の前側株元搬送装置１４うちの左側に設けた前側株元搬送装置１４Ｂの上方に設けた前側穂先搬送装置６１のケース等の任意の固定部６２にボルト６３により回動自在に取付ける。
そのため、穀稈の詰まり時には、案内ガイド６０を外さずに外側オープンさせ（図７）、詰まり穀稈を除去し、作業復帰を簡単・容易にする。
【００１４】
前記前側穂先搬送装置６１の固定部６２に案内ガイド６０の回動支点を設けているので、詰まる頻度の高い刈取装置６と脱穀装置３との引継部分を大きくオープンできる。
案内ガイド６０は、上側ガイド杆６５の基部を中間ガイド杆６６の搬送方向の前後方向中間部分に固定し、中間ガイド杆６６の基部を左側の前側株元搬送装置１４の上方に設けた前側穂先搬送装置６１のケース等の任意の固定部６２にボルト６３により回動自在に取付ける（図８）。
また、上側ガイド杆６５および中間ガイド杆６６とは別体に形成した下側ガイド杆６７の基部を前記ボルト６３に回動自在に取付ける。
そのため、例えば、上側ガイド杆６５および中間ガイド杆６６のオープン作業を、ボルト６３を弛めると行うとすると、下側ガイド杆６７も回動自在となって、下側ガイド杆６７を外さずに外側オープンさせられ、上側ガイド杆６５および中間ガイド杆６６のオープン作業と同時に下側ガイド杆６７のオープン作業を行え、上側ガイド杆６５と中間ガイド杆６６と下側ガイド杆６７により穀稈を三カ所で案内する構成でありながら、オープン作業全般を簡単・容易にする。
【００１５】
前記上側ガイド杆６５と中間ガイド杆６６の搬送方向の前後方向中間部分には両者を連結固定する連結部６８を固定し、連結部６８に前記下側ガイド杆６７のステー６９をボルト７０により着脱自在に取付ける。
そのため、下側ガイド杆６７の支持構成において、連結部６８を上側ガイド杆６５および中間ガイド杆６６と兼用でき、部品点数を削減し、案内ガイド６０の支持構成を簡素にする。
連結部６８には取付部材７３をボルト７４により着脱自在に取付け、取付部材７３は取付フレーム７５のステー７６にボルト７７により取付ける。
この場合、ボルト７７を装着する部分の取付部材７３は、長孔等により案内ガイド６０の位置を遠近調節自在に構成すると、搬送穀稈の性状や搬送量により案内ガイド６０を最適位置に配置でき、詰まり穀稈の発生をを抑制する。
【００１６】
実施例では、取付部材７３に係合溝８０を形成し、係合溝８０を案内ガイド６０の回動支点となるボルト６３を中心とする円弧形状に形成し、係合溝８０を前記ボルト７７に係合させて固定する。
そのため、係合溝８０とボルト７７の係合により、案内ガイド６０の固定作業を容易にできるだけでなく、遠近調節構成も兼用でき、合理的な構成となる。
また、案内ガイド６０を移動させて搬送通路を広狭に調節できるので、収量の多少の地域、あるいは、年等に対応範囲を広げられ、適応範囲を広がられる。
取付フレーム７５は補強フレーム８１に取付け、補強フレーム８１は刈取フレーム２０側に固定する。
【００１７】
なお、前記取付フレーム７５は逆さＵ型形状に形成し、取付フレーム７５の先端に穂先引継搬送装置１９を取り付けている。また、図示は省略するが、株元引継搬送装置１８は先端が上下するように基部を取付けて扱き深さ調節可能に構成している。
ボルト７７の取付位置より取付フレーム７５側のステー７６には、取付部材７３の移動を規制するストッパ８２を設ける。ストッパ８２はボルト８３により形成し、取付フレーム７５に設けた長孔８４に移動自在に挿通して固定する。
そのため、案内ガイド６０を所定位置に保持させられ、穀稈の案内を円滑に行える。
また、取付部材７３には、弾性部材により形成した弾性ガイド８７を取付け、弾性ガイド８７を案内ガイド６０と共に一体的に移動するように構成する。
そのため、位置不動状態の案内ガイド６０の他に弾性変形する弾性ガイド８７により穀稈を円滑・確実に案内すると共に、案内ガイド６０と一緒にオープンできるので、穀稈の詰まり除去作業を簡単にして、作業復帰を簡単・容易にする。
【００１８】
実施例では、軸部材のバネ材で弾性ガイド８７を形成し、弾性ガイド８７の基部にリング部８８を形成し、リング部８８をボルト８９により連結部６８の下面に取付ける。
そのため、連結部６８の外面にステー６９と取付部材７３を取付け、連結部６８の下面に弾性ガイド８７を取り付けているので、狭いスペースを有効利用して、案内ガイド６０と弾性ガイド８７とを設けられる。
しかして、図９は、左側の前側株元搬送装置１４と、該左前側株元搬送装置１４の右側に設けた右中間前側株元搬送装置１４との間に設けた中間ラグ式掻込装置１２および中間スターホイル１３の支持構成に関するものであり、前記上部横伝動ケース２９と分草杆３５との間に中間支持フレーム９０を設け、中間支持フレーム９０は前記分草杆３５側に固定する下側フレーム部９１と上部横伝動ケース２９側に固定する上側フレーム９２により構成し、下側フレーム部９１と上側フレーム９２の連結固定部９３を、側面視において、ラグ式掻込装置１２の掻込ラグ９４の後側移動軌跡あるいはスターホイル１３の後側移動軌跡近傍に位置させ、かつ、前記左前側株元搬送装置１４の挾扼杆９５のホルダ９６の内側に配置する。
【００１９】
そのため、左前側株元搬送装置１４の穀稈搬送通路を広くでき、左前側株元搬送装置１４の穀稈搬送を円滑にする。
しかして、図１０〜図１２は、左側の前側株元搬送装置１４の実施例であり、前側株元搬送装置１４の終端に移動チエンレール９７と案内ローラー９８を回動アーム９９に取付け、回動アーム９９は取付軸１００によりフレーム１０１に前側株元搬送装置１４の搬送チエン１０４を張った作業位置と搬送チエン１０４を弛める非作業位置との間回動自在に取付ける。
前記移動チエンレール９７は、図１０において、平面視（正面視）において、フレーム１０１に設けた固定側チエンレール１０５の終端と幅方向において一部重ね、移動チエンレール９７が非作業位置に移動しても、フレーム１０１の始端と固定側チエンレール１０５の終端との間に隙間ができないように構成する。
したがって、メンテナンス等で移動チエンレール９７を非作業位置に移動させて、前側株元搬送装置１４を駆動させても、搬送チエン１０４はフレーム１０１と固定側チエンレール１０５により円滑に案内される。
【００２０】
この場合、前記取付軸１００は、フレーム１０１と固定側チエンレール１０５の内側に配置し、固定側チエンレール１０５により案内される搬送チエン１０４より離すようにする。
そのため、取付軸１００の存在が穀稈の搬送阻害の原因となるのを防止する。
また、回動アーム９９は弾性体１０７により搬送チエン１０４を緊張させるように構成し、弾性体１０７は前側株元搬送装置１４の駆動力による搬送チエン１０４を緊張させる張力より強く設定する。
したがって、通常作業では、搬送チエン１０４は弾性体１０７により緊張させられて、穀稈を確実に搬送し、穀稈量が増えると、移動チエンレール９７および案内ローラー９８は移動し、詰まりを防止する。
通路幅が拡大しても、なお、詰まりそうな場合は、搬送チエン１０４の周長が短くなり、テンションが弛むため、駆動歯車１０８で歯飛びして過負荷を防止し、この歯飛び音が作業者に詰まり発生を予測させる報知となる。
【００２１】
（実施例の作用）
左右に複数並設した分草体１０により分草されて引起装置１１により引起された穀稈は、並行状態のまま刈刃１５により根元が切断され、そのまま複数並設された各分草体１０から続く搬送通路Ｈを通り、この夫々の搬送通路Ｈを搬送された穀稈は合流して、株元引継搬送装置１８と穂先引継搬送装置１９に受け渡し、その後、株元引継搬送装置１８と穂先引継搬送装置１９から脱穀装置３の穀稈供給搬送装置１７に引継ぎ、脱穀装置３で脱穀される。
刈取装置６は、分草体分草体１０と各分草体１０の後方の引起装置引起装置１１等を有して構成し、分草体１０や引起装置１１等は刈取フレーム２０に取付け、刈取フレーム２０は、基部を機体側に回動自在に取付けた刈取フレーム２０の先端に取付けた左右方向の下部横伝動ケース２１の一方側に側部伝動ケース２７を設け、下部横伝動ケース２１の左右側のうちの他方側に側部フレーム２８を設け、側部伝動ケース２７と側部フレーム２８の間に上部横伝動ケース２９を設け、上部横伝動ケース２９には前記引起装置１１に回転伝達する引起伝動筒３０の上部を取付け、引起伝動筒３０には引起装置１１の引起フレーム３２の上部を取付け、引起フレーム３２の下部は前記分草体１０を先端に設けた分草杆３５に固定し、前記側部フレーム２８の上下方向中間部と前記分草杆３５の前後方向中間部または前端部との間に、前後方向の側部補強横フレーム４０を設けているので、側部補強横フレーム４０を設けた刈取フレーム２０の部分の支持剛性を向上させられる。
【００２２】
側部補強横フレーム４０の前後方向中間部にはスターホイル１３を設けているので、側部補強横フレーム４０はスターホイル１３の取付部材を兼用すると共に、スターホイル１３の支持強度も向上させる。
また、側部補強横フレーム４０の先端は分草杆３５の先端側に設けたステー４１に固定し、ステー４１には先端縦支持部材４２の基部を固定し、先端縦支持部材４２の先端に前記引起フレーム３２の下部を取付けているので、先端縦支持部材４２とステー４１と分草杆３５とは互いに連結固定されて、支持強度を向上させる。
即ち、側部補強横フレーム４０は単に分草杆３５に固定されるのでなく、ステー４１により引起装置１１の引起フレーム３２側とも連結されて、支持強度を向上させる。
【００２３】
また側部補強横フレーム４０の前後方向中間部分には回転軸５０を軸装し、側部補強横フレーム４０の上側の回転軸５０にはラグ式掻込装置１２のラグ駆動プーリ４６を設け、側部補強横フレーム４０の下側の回転軸５０にはスターホイル１３および前側株元搬送装置１４Ａの従動歯車５１を設けているので、側部補強横フレーム４０は、ラグ式掻込装置１２とスターホイル１３と前側株元搬送装置１４Ａの取付支持フレームを兼用させられる。
また、側部補強横フレーム４０の基部は取付部材５７を介して側部フレーム２８に取付け、取付部材５７には左右方向の支持フレーム５８の基部を固定し、支持フレーム５８に後側搬送装置１６の駆動歯車５２および前側株元搬送装置１４の従動歯車５３を取付けた回転軸５４を軸装しているので、側部補強横フレーム４０は後側搬送装置１６の支持部材の一部も構成しており、右側の刈取フレーム２０の剛性を向上させられる。
【００２４】
しかして、株元引継搬送装置１８と穂先引継搬送装置１９の搬送穀稈を案内する案内ガイド６０を株元引継搬送装置１８および穂先引継搬送装置１９に対して遠近自在に設け、案内ガイド６０の基部を任意の固定部６２にボルト６３により回動自在に取付けているので、穀稈の詰まり時には、案内ガイド６０を外さずにボルト６３中心に外側回動させてオープンさせ、詰まり穀稈を除去する。
したがって、案内ガイド６０は、外さずに詰まり穀稈を除去できるので、作業復帰を簡単・容易にする。
実施例では前側穂先搬送装置６１の固定部６２に案内ガイド６０の回動支点を設けているので、詰まる頻度の高い刈取装置６と脱穀装置３との引継部分を大きくオープンできる。
案内ガイド６０は、上側ガイド杆６５の基部を中間ガイド杆６６の搬送方向の前後方向中間部分に固定し、中間ガイド杆６６の基部を左側の前側株元搬送装置１４の上方に設けた前側穂先搬送装置６１のケース等の任意の固定部６２にボルト６３により回動自在に取付けているので、上側ガイド杆６５と中間ガイド杆６６を一体回動させられ、案内ガイド６０の外側オープンさせて行う詰まり穀稈の除去、および、除去後の案内ガイド６０の装着を容易にする。
【００２５】
また、上側ガイド杆６５および中間ガイド杆６６とは別体に形成した下側ガイド杆下側ガイド杆６７の基部を前記ボルト６３に回動自在に取付ける。
そのため、例えば、上側ガイド杆６５および中間ガイド杆６６のオープン作業を、ボルト６３を弛めると行うとすると、下側ガイド杆６７も回動自在となって、下側ガイド杆６７を外さずに外側オープンさせられことができるので、上側ガイド杆６５および中間ガイド杆６６のオープン作業と同時に下側ガイド杆６７のオープン作業を行え、上側ガイド杆６５と中間ガイド杆６６と下側ガイド杆６７により穀稈を三カ所で案内する構成でありながら、オープン作業全般を簡単・容易にする。
この場合、上側ガイド杆６５と中間ガイド杆６６の搬送方向の前後方向中間部分には両者を連結固定する連結部６８を固定し、連結部６８に下側ガイド杆６７のステー６９をボルト７０により着脱自在に取付けているので、上側ガイド杆６５および中間ガイド杆６６とは別体に形成した下側ガイド杆６７も、上側ガイド杆６５および中間ガイド杆６６と一緒に移動させることができ、詰まり穀稈の除去作業を容易にする。
【００２６】
また、連結部６８は、上側ガイド杆６５および中間ガイド杆６６の取付部材と下側ガイド杆６７の取付部材として兼用でき、部品点数を削減し、案内ガイド６０の支持構成を簡素にする。
連結部６８には取付部材７３をボルト７４により着脱自在に取付け、取付部材７３は取付フレーム取付フレーム７５のステー７６にボルト７７により取付けているので、案内ガイド６０の位置を遠近調節自在構成を簡単に構成でき、搬送穀稈の性状や搬送量により案内ガイド６０を最適位置に配置でき、詰まり穀稈の発生をを抑制する。
実施例では、取付部材７３に係合溝係合溝８０を形成し、係合溝８０を案内ガイド６０の回動支点となるボルト６３を中心とする円弧形状に形成し、係合溝８０を前記ボルト７７に係合させて固定しているので、係合溝８０とボルト７７の係合により、案内ガイド６０の固定作業を容易にできるだけでなく、遠近調節構成も兼用でき、合理的な構成となる。
【００２７】
また、案内ガイド６０を移動させて搬送通路を広狭に調節できるので、収量の多少の地域、あるいは、年等に対応範囲を広げられ、適応範囲を広がられる。
また、取付部材７３には、弾性部材により形成した弾性ガイド８７を取付けているので、弾性ガイド８７を案内ガイド６０と共に一体的に移動させられる。
そのため、位置不動状態の案内ガイド６０の他に弾性変形する弾性ガイド８７により穀稈を円滑・確実に案内すると共に、案内ガイド６０と一緒にオープンできるので、穀稈の詰まり除去作業を簡単にして、作業復帰を簡単・容易にする。
実施例では、軸部材のバネ材で弾性ガイド８７を形成し、弾性ガイド８７の基部にリング部８８を形成し、リング部８８をボルト８９により連結部６８の下面に取付ける。
そのため、連結部６８の外面にステー６９と取付部材７３を取付け、連結部６８の下面に弾性ガイド８７を取り付けているので、狭い
なお、前記した各実施例は、理解を容易にするために、個別または混在させて図示および説明しているが、これらの実施例は夫々種々組合せ可能であり、これらの表現によって、構成・作用等が限定されるものではなく、また、相乗効果を奏する場合も勿論存在する。
【符号の説明】
【００２８】
１…機体フレーム、２…走行装置、３…脱穀装置、４…グレンタンク、５…操縦部、６…刈取装置、１０…分草体、１１…引起装置、１２…ラグ式掻込装置、１３…スターホイル、１４…前側株元搬送装置、１６…後側搬送装置、１７…穀稈供給搬送装置、１８…株元引継搬送装置、１９…穂先引継搬送装置、２０…刈取フレーム、２１…下部横伝動ケース、２２…縦支持フレーム、２３…基部側横伝動ケース、２７…側部伝動ケース、２８…側部フレーム、２９…上部横伝動ケース、３０…引起伝動筒、３２…引起フレーム、３５…分草杆、４０…側部補強横フレーム、３６…刈刃フレーム、３７…前後杆、４１…ステー、４２…先端縦支持部材、４４…ローラー、４５…ベルト、４６…ラグ駆動プーリ、５０…回転軸、５１…従動歯車、５２…駆動歯車、５３…従動歯車、５４…回転軸、５７…取付部材、５８…支持フレーム、６０…案内ガイド、６１…前側穂先搬送装置、６２…固定部、６３…ボルト、６５…上側ガイド杆、６６…中間ガイド杆、６７…下側ガイド杆、６８…連結部、６９…ステー、７０…ボルト、７３…取付部材、７４…ボルト、７５…取付フレーム、７６…ステー、７７…ボルト、８０…係合溝、８１…補強フレーム、８２…ストッパ、８３…ボルト、８４…長孔、８７…弾性ガイド、８８…リング部、８９…ボルト、９０…中間支持フレーム、９１…下側フレーム部、９２…上側フレーム、９３…連結固定部、９４…掻込ラグ、９５…挾扼杆、９６…ホルダ、９７…移動チエンレール、９８…案内ローラー、９９…回動アーム、１００…取付軸、１０１…フレーム、１０４…搬送チエン、１０５…固定側チエンレール、１０７…弾性体、１０８…駆動歯車。
【図１】
0005516857.tif 000002
【図２】
0005516857.tif 000003
【図３】
0005516857.tif 000004
【図４】
0005516857.tif 000005
【図５】
0005516857.tif 000006
【図６】
0005516857.tif 000007
【図７】
0005516857.tif 000008
【図８】
0005516857.tif 000009
【図９】
0005516857.tif 000010
【図１０】
0005516857.tif 000011
【図１１】
0005516857.tif 000012
【図１２】
0005516857.tif 000013